(57)【要約】【課題】キャリアの違いを意識することなく、携帯電話のサイトを移動せずに、携帯電話のサイトを開くだけで音楽を再生させることができる音情報変換再生システム等を提供することを目的とする。【解決手段】上記課題を解決するために、請求項１記載の発明は、音情報を携帯情報処理装置に使用されるファイル形式へ変換する音情報変換手段と、携帯情報処理装置に使用される音情報再生ソフトウェア用のデータ構造を有する疑似音情報ファイルへ変換するＳＷＦ（Ｓｍａｌｌ  Ｗｅｂ  Ｆｏｒｍａｔ）変換部と、を備える音情報変換装置と、携帯情報処理装置の種類に関する情報から種類を判定し、判定された前記携帯情報処理装置の種類に対応する疑似音情報ファイルを判別し、疑似音情報ファイルを携帯情報処理装置の種類に関する情報を送信した携帯情報処理装置へ送信する送信手段とを備えるサーバ装置と、を備える構成とする。【選択図】図３
2010146157.tif 000002
【特許請求の範囲】
【請求項１】
供給される音情報が入力される入力手段と、
前記入力手段に入力された前記音情報を携帯情報処理装置に使用される少なくとも２種類以上の基本ソフトウェアに使用されるファイル形式へ変換する音情報変換手段と、
前記音情報変換手段において変換された変換音情報の識別子を前記基本ソフトウェアに使用されるファイル形式の識別子へ変換した疑似キャリア対応音情報を生成する識別子変換手段と、
前記携帯情報処理装置に使用される音情報再生ソフトウェアに使用されるデータ構造へ変換するための変数を、前記基本ソフトェアおよび前記携帯情報処理装置の種類毎に設定する設定手段と、
前記設定手段の設定に基づいて、前記疑似キャリア対応音情報を前記携帯情報処理装置に使用される音情報再生ソフトウェア用のデータ構造を有する疑似音情報ファイルへ変換するＳＷＦ（Ｓｍａｌｌ  Ｗｅｂ  Ｆｏｒｍａｔ）変換部と、
前記ＳＷＦ変換部において変換された疑似音情報ファイルを送信するファイル送信手段と、を備える音情報変換装置と、
前記音情報変換装置からの前記疑似音情報ファイルおよび前記携帯情報処理装置からの前記携帯情報処理装置の種類に関する情報を受信する受信手段と、
前記疑似音情報ファイルを記憶する記憶手段と、
前記受信手段が受信した前記携帯情報処理装置の種類に関する情報から前記携帯情報処理装置の種類を判定し、判定された前記携帯情報処理装置の種類に対応する前記疑似音情報ファイルを判別する判別手段と、
前記判別手段によって判別された前記疑似音情報ファイルを前記携帯情報処理装置の種類に関する情報を送信した前記携帯情報処理装置へ送信する送信手段と、
を備えるサーバ装置と、
を備えることを特徴とする音情報変換再生システム。
【請求項２】
請求項１に記載の音情報変換再生システムにおいて、
前記供給される音情報は非圧縮音声フォーマットによって構成されており、前記フォーマットには少なくともＷＡＶ（Ｗａｖｅｆｏｒｍ  Ａｕｄｉｏ  Ｆｏｒｍａｔ）ファイルフォーマットが含まれることを特徴とする音情報変換再生システム。
【請求項３】
請求項１または２に記載の音情報変換再生システムにおいて、
前記基本ソフトウェアは前記携帯情報処理装置の通信事業者が提供するソフトウェアであって、前記基本ソフトウェアには少なくともＭＦＩ（Ｍｅｌｏｄｙ  Ｆｏｒｍａｔ  ｆｏｒ  ｉＭｏｄｅ）ファイルフォーマットまたはＳＭＡＦ（Ｓｙｎｔｈｅｔｉｃ  ｍｕｓｉｃ  Ｍｏｂｉｌｅ  Ａｐｐｌｉｃａｔｉｏｎ  Ｆｏｒｍａｔ）ファイルフォーマットのいずれか一方のファイルフォーマットが含まれることを特徴とする音情報変換再生システム。
【請求項４】
請求項１乃至３の何れか一項に記載の音情報変換再生システムにおいて、
前記識別子変換手段によって変換された前記疑似キャリア対応音情報の前記識別子には、少なくともＭＦＩ用の識別子であるｍｌｄまたはＳＭＡＦ用の識別子であるｍｍｆのいずれか一方の識別子が含まれることを特徴とする音情報変換再生システム。
【請求項５】
請求項１乃至４の何れか一項に記載の音情報変換再生システムにおいて、
前記音情報再生ソフトウェアはマクロメディアフラッシュの携帯電話向けのフラッシュライトであることを特徴とする音情報変換再生システム。
【請求項６】
請求項１乃至５の何れか一項に記載の音情報変換再生システムにおいて、
前記設定手段に含まれる前記変数には、少なくとも前記疑似キャリア対応音情報のデータ圧縮率情報が含まれることを特徴とする音情報変換再生システム。
【請求項７】
請求項１乃至６の何れか一項に記載の音情報変換再生システムにおいて、
前記携帯情報処理装置の種類に関する情報は、前記携帯情報処理装置が有するユーザーエージェント情報であることを特徴とする音情報変換再生システム。
【請求項８】
請求項１乃至７の何れか一項に記載の音情報変換再生システムにおいて、
前記サーバ装置に記憶されている前記疑似音情報ファイルは前記サーバ装置に記憶されているｈｔｍｌ（ｈｙｐｅｒ  ｔｅｘｔ  ｍａｒｋｕｐ  ｌａｎｇｕａｇｅ）で記述されたウェブページ情報内に前記音情報再生ソフトウェアのコンテンツとして含まれていることを特徴とする音情報変換再生システム。
【請求項９】
請求項１乃至８の何れか一項に記載の音情報変換再生システムにおいて、
前記サーバ装置に記憶されている前記疑似音情報ファイルはウェブページ情報として前記送信手段によって前記携帯情報処理装置に送信されることを特徴とする音情報変換再生システム。
【請求項１０】
供給される音情報が入力される入力工程と、
前記入力工程において入力された前記音情報を携帯情報処理装置に使用される少なくとも２種類以上の基本ソフトウェアに使用されるファイル形式へ変換する音情報変換工程と、
前記音情報変換工程において変換された変換音情報の識別子を前記基本ソフトウェアに使用されるファイル形式の識別子へ変換した疑似キャリア対応音情報を生成する識別子変換工程と、
前記携帯情報処理装置に使用される音情報再生ソフトウェアに使用されるデータ構造へ変換するための変数を、前記基本ソフトェアおよび前記携帯情報処理装置の種類毎に設定する設定工程と、
前記設定工程における設定に基づいて、前記疑似キャリア対応音情報を前記携帯情報処理装置に使用される音情報再生ソフトウェア用のデータ構造を有する疑似音情報ファイルへ変換するＳＷＦ変換工程と、
前記ＳＷＦ変換工程において変換された疑似音情報ファイルを送信するファイル送信工程と、を備える音情報変換装置の制御方法と、
前記音情報変換装置からの前記疑似音情報ファイルおよび前記携帯情報処理装置からの前記携帯情報処理装置の種類に関する情報を受信する受信工程と、
前記疑似音情報ファイルを記憶する記憶工程と、
前記受信工程において受信した前記携帯情報処理装置の種類に関する情報から前記携帯情報処理装置の種類を判定し、判定された前記携帯情報処理装置の種類に対応する前記疑似音情報ファイルを判別する判別工程と、
前記判別工程において判別された前記疑似音情報ファイルを前記携帯情報処理装置の種類に関する情報を送信した前記携帯情報処理装置へ送信する送信工程と、
を備えるサーバ装置の制御方法と、
を備えることを特徴とする音情報変換再生システムの制御方法。
【請求項１１】
請求項１０に記載の音情報変換再生システムの制御方法において、
前記供給される音情報は非圧縮音声フォーマットによって構成されており、前記フォーマットには少なくともＷＡＶファイルフォーマットが含まれることを特徴とする音情報変換再生システムの制御方法。
【請求項１２】
請求項１０または１１に記載の音情報変換再生システムの制御方法において、
前記基本ソフトウェアは前記携帯情報処理装置の通信事業者が提供するソフトウェアであって、前記基本ソフトウェアには少なくともＭＦＩファイルフォーマットまたはＳＭＡＦファイルフォーマットのいずれか一方のファイルフォーマットが含まれることを特徴とする音情報変換再生システムの制御方法。
【請求項１３】
請求項１０乃至１２の何れか一項に記載の音情報変換再生システムの制御方法において、
前記識別子変換工程において変換された前記疑似キャリア対応音情報の前記識別子には、少なくともＭＦＩ用の識別子であるｍｌｄまたはＳＭＡＦ用の識別子であるｍｍｆのいずれか一方の識別子が含まれることを特徴とする音情報変換再生システムの制御方法。
【請求項１４】
請求項１０乃至１３の何れか一項に記載の音情報変換再生システムの制御方法において、
前記音情報再生ソフトウェアはマクロメディアフラッシュの携帯電話向けのフラッシュライトであることを特徴とする音情報変換再生システムの制御方法。
【請求項１５】
請求項１０乃至１４の何れか一項に記載の音情報変換再生システムの制御方法において、
前記設定工程に含まれる前記変数には、少なくとも前記疑似キャリア対応音情報のデータ圧縮率情報が含まれることを特徴とする音情報変換再生システムの制御方法。
【請求項１６】
請求項１０乃至１５の何れか一項に記載の音情報変換再生システムの制御方法において、
前記携帯情報処理装置の種類に関する情報は、前記携帯情報処理装置が有するユーザーエージェント情報であることを特徴とする音情報変換再生システムの制御方法。
【請求項１７】
請求項１０乃至１６の何れか一項に記載の音情報変換再生システムの制御方法において、
前記サーバ装置に記憶されている前記疑似音情報ファイルは前記サーバ装置に記憶されているｈｔｍｌで記述されたウェブページ情報内に前記音情報再生ソフトウェアのコンテンツとして含まれていることを特徴とする音情報変換再生システムの制御方法。
【請求項１８】
請求項１０乃至１７の何れか一項に記載の音情報変換再生システムの制御方法において、
前記記憶工程において記憶されている前記疑似音情報ファイルはウェブページ情報として前記送信工程において前記携帯情報処理装置に送信されることを特徴とする音情報変換再生システムの制御方法。
【請求項１９】
音情報変換装置に含まれるコンピュータを、
供給される音情報が入力される入力手段、
前記入力手段に入力された前記音情報を携帯情報処理装置に使用される少なくとも２種類以上の基本ソフトウェアに使用されるファイル形式へ変換する音情報変換手段、
前記音情報変換手段において変換された変換音情報の識別子を前記基本ソフトウェアに使用されるファイル形式の識別子へ変換した疑似キャリア対応音情報を生成する識別子変換手段、
前記携帯情報処理装置に使用される音情報再生ソフトウェアに使用されるデータ構造へ変換するための変数を、前記基本ソフトェアおよび前記携帯情報処理装置の種類毎に設定する設定手段、
前記設定手段の設定に基づいて、前記疑似キャリア対応音情報を前記携帯情報処理装置に使用される音情報再生ソフトウェア用のデータ構造を有する疑似音情報ファイルへ変換するＳＷＦ変換部、
前記ＳＷＦ変換部において変換された疑似音情報ファイルを送信するファイル送信手段として機能させる音情報変換装置の制御プログラムと、
サーバ装置に含まれるコンピュータを、
前記音情報変換装置からの前記疑似音情報ファイルおよび前記携帯情報処理装置からの前記携帯情報処理装置の種類に関する情報を受信する受信手段、
前記疑似音情報ファイルを記憶する記憶手段、
前記受信手段が受信した前記携帯情報処理装置の種類に関する情報から前記携帯情報処理装置の種類を判定し、判定された前記携帯情報処理装置の種類に対応する前記疑似音情報ファイルを判別する判別手段、
前記判別手段によって判別された前記疑似音情報ファイルを前記携帯情報処理装置の種類に関する情報を送信した前記携帯情報処理装置へ送信する送信手段として機能させる音情報変換装置の制御プログラムと、
を備えることを特徴とする音情報変換再生システムの制御プログラム。
【発明の詳細な説明】
【技術分野】
【０００１】
本発明は、ＷＷＷ（ワールドワイドウエブ）を介した、音声再生システムおよび音声再生方法に関し、特に携帯端末における音情報変換再生システムおよび音情報変換再生システムの制御方法に関する。
【背景技術】
【０００２】
従来から、携帯電話で音楽を試聴することが行われている。
この場合、音楽を試聴するには、携帯電話のＷｅｂページからＷｅｂサーバにアクセスしてミュージックプレーヤ等の専用のアプリケーションをダウンロードしてからそのＷｅｂページを閉じ、音声ファイルをダウンロードするために他のＷｅｂページを開き、Ｗｅｂサーバから音声ファイルをダウンロードし一旦携帯端末に音声ファイルを保存した後にＷｅｂページを閉じて携帯電話のミュージックプレーヤを起動させ音声ファイルを再生させていた。
【０００３】
このように、ＰＣ（Ｐｅｒｓｏｎａｌ  Ｃｏｍｐｕｔｅｒ）の場合にはＷｅｂページを開いた場合にそのＷｅｂページのバックに音楽を流すという再生方法が可能であるが、携帯電話では、音楽を再生するにはウェブページから操作を他のプレーヤに切り替える必要があった。
また、ウェブページを開いた状態で音楽を再生させる場合は、携帯端末の仕様からキャリア（通信事業者）毎にファイル形式が異なるために取り扱える音声ファイルが制限されている。
【０００４】
さらに、キャリアが取り扱えるファイル形式は圧縮されるなどした電子音的な音楽ファイル形式であり、音声などのような波形の生音を再生させることは出来ない。
このような携帯電話の携帯端末機種による制限、キャリアである携帯各社のブラウザの仕様上の制限などから、携帯のウェブページで音声を再生させることは不可能とされて来た。
【特許文献１】特開２０００−１６３８６６
【特許文献２】特開２００５−１９１８１９
【発明の開示】
【発明が解決しようとする課題】
【０００５】
以上に説明したように、従来の方法では専用のアプリケーションの起動と音声ファイルのダウンロードをすることによってユーザにとっては二重の手間がかかっていた。
そして、携帯電話を使用してサービスを提供している事業者のサイトに訪れたユーザにとって、音声を再生するまでのステップ数が多いとサイトに対する興味が減少してしまうという問題点があった。
従って、本発明はこのような問題点を解消する（キャリアの違いを意識することなく、携帯電話のサイトを移動せずに、携帯電話のサイトを開くだけで音楽を再生させる）ことができる音情報変換再生システムおよび音情報変換再生システムの制御方法を提供することを目的とする。
【課題を解決するための手段】
【０００６】
上記課題を解決するために、請求項１記載の発明は、供給される音情報が入力される入力手段と、前記入力手段に入力された前記音情報を携帯情報処理装置に使用される少なくとも２種類以上の基本ソストウェアに使用されるファイル形式へ変換する音情報変換手段と、前記音情報変換手段において変換された変換音情報の識別子を前記基本ソストウェアに使用されるファイル形式の識別子へ変換した疑似キャリア対応音情報を生成する識別子変換手段と、前記携帯情報処理装置に使用される音情報再生ソフトウェアに使用されるデータ構造へ変換するための変数を、前記基本ソフトェアおよび前記携帯情報処理装置の種類毎に設定する設定手段と、前記設定手段の設定に基づいて、前記疑似キャリア対応音情報を前記携帯情報処理装置に使用される音情報再生ソフトウェア用のデータ構造を有する疑似音情報ファイルへ変換するＳＷＦ変換部と、前記ＳＷＦ変換部において変換された疑似音情報ファイルを送信するファイル送信手段と、を備える音情報変換装置と、前記音情報変換装置からの前記疑似音情報ファイルおよび前記携帯情報処理装置からの前記携帯情報処理装置の種類に関する情報を受信する受信手段と、前記疑似音情報ファイルを記憶する記憶手段と、前記受信手段が受信した前記携帯情報処理装置の種類に関する情報から前記携帯情報処理装置の種類を判定し、判定された前記携帯情報処理装置の種類に対応する前記疑似音情報ファイルを判別する判別手段と、前記判別手段によって判別された前記疑似音情報ファイルを前記携帯情報処理装置の種類に関する情報を送信した前記携帯情報処理装置へ送信する送信手段と、を備えるサーバ装置と、を備えることを特徴とする。
【０００７】
これにより、携帯情報処理装置の一例としての携帯電話専用のアプリケーションソフトウェアやプレーヤ（ソフトウェア）を起動させずに、ユーザの携帯電話の携帯サイトでの音情報の一例としての音声の再生を可能にする。
また、ユーザはキャリアおよび携帯電話の機種の違いを意識することなく、携帯電話のサイトを移動せずに、携帯電話のサイトを開くだけで音情報の一例としての音楽や音声を再生させることができる。
したがって、携帯電話のサイトに訪れたユーザにとってストレスのないスムーズな音情報の一例としての音声の再生を提供できるようになる。
【０００８】
また、携帯電話用の専用のアプリケーションソフトウェアを必要としないので、携帯電話を使用するユーザのパケット通信料が軽減される。
また、ＰＣのようにユーザが携帯電話でウェブサイトを閲覧しながら、ウェブサイトのバックに音楽を流す再生が可能となる。
また、同一のキャリアにおける携帯電話の種類によって再生可能な疑似音情報ファイルが異なっている場合にも、携帯電話の種類に関する情報から再生可能な疑似音情報ファイルが判別可能なので、ユーザは自分の携帯電話の種類を意識することなく、シームレスに音情報の一例としての音声および音楽の再生が可能になる。
さらに、ユーザが携帯電話のサイトを開いたときに、サイトのイメージソングを流し、または、語学学習時における読み上げによる発音の聞き取りなどが可能になる。
【０００９】
上記課題を解決するために、請求項２に記載の発明は、請求項１に記載の音情報変換再生システムにおいて、前記供給される音情報は非圧縮音声フォーマットによって構成されており、前記フォーマットには少なくともＷＡＶファイルフォーマットが含まれることを特徴とする。
これにより、電子音的な音楽ファイル形式ではなく、音声などのような波形の生音をユーザの携帯電話で再生することができるようになる。
【００１０】
上記課題を解決するために、請求項３に記載の発明は、請求項１または２に記載の音情報変換再生システムにおいて、前記基本ソフトウェアは前記携帯情報処理装置の通信事業者が提供するソフトウェアであって、前記基本ソフトウェアには少なくともＭＦＩファイルフォーマットまたはＳＭＡＦファイルフォーマットのいずれか一方のファイルフォーマットが含まれることを特徴とする
これにより、通信事業者としてのＮＴＴドコモ、ａｕ、ソフトバンクの３つのキャリアのすべての携帯電話において音情報の一例としての音声や音声が再生可能となる。
【００１１】
上記課題を解決するために、請求項４に記載の発明は、請求項１乃至３の何れか一項に記載の音情報変換再生システムにおいて、前記識別子変換手段によって変換された前記疑似キャリア対応音情報の前記識別子には、少なくともＭＦＩ用の識別子であるｍｌｄまたはＳＭＡＦ用の識別子であるｍｍｆのいずれか一方の識別子が含まれることを特徴とする。
これにより、あらかじめ音声ファイルであるＷＡＶファイルを各キャリア対応ファイル形式へ擬似的に変換させることができるようになる。
したがって、通信事業者としてのＮＴＴドコモ、ａｕ、ソフトバンクの３つのキャリアのすべての携帯電話において確実に音情報の一例としての音声および音楽の再生が可能となる。
【００１２】
上記課題を解決するために、請求項５に記載の発明は、請求項１乃至４の何れか一項に記載の音情報変換再生システムにおいて、前記音情報再生ソフトウェアはマクロメディアフラッシュの携帯電話向けのフラッシュライトであることを特徴とする。
携帯電話のウェブページでは各キャリアのブラウザの仕様により、疑似音情報ファイルの一例としての音声ファイルを直接再生させることは不可能であるが、各キャリアが対応するマクロメディアフラッシュの携帯電話向けのフラッシュライトを利用することで音声ファイルを直接再生させることが可能になる。
【００１３】
上記課題を解決するために、請求項６に記載の発明は、前記設定手段に含まれる前記変数には、少なくとも前記疑似キャリア対応音情報のデータ圧縮率情報が含まれることを特徴とする。
これにより、キャリア毎のエンコード作業が容易になる。
また、一例として一般に入手可能な（市販の）マルチメディアコンテンツコンバートツールであるソフトウェアエンコーダも利用することが可能になる。
【００１４】
上記課題を解決するために、請求項７に記載の発明は、請求項１乃至６の何れか一項に記載の音情報変換再生システムにおいて、前記携帯情報処理装置の種類に関する情報は、前記携帯情報処理装置が有するユーザーエージェント情報であることを特徴とする。
これにより、携帯電話のキャリア、携帯電話の機種によって再生可能なフラッシュライトのファイルが異なるため、そのままではユーザが自分の携帯電話の機種から適したファイルを選択しなければならないが、携帯電話に備わっているユーザーエージェントという識別コードを携帯電話のサイトにアクセスに来た際に取得することで、このユーザーエージェントを利用してユーザがアクセスしてきた際にどのグループに属するかを判定し、それによって対応した疑似音情報ファイルの一例としてのフラッシュファイルを携帯電話に送信して再生させることが可能になる。
【００１５】
上記課題を解決するために、請求項８に記載の発明は、請求項１乃至７の何れか一項に記載の音情報変換再生システムにおいて、前記サーバ装置に記憶されている前記疑似音情報ファイルは前記サーバ装置に記憶されているｈｔｍｌで記述されたウェブページ情報内に前記音情報再生ソフトウェアのコンテンツとして含まれていることを特徴とする。
これによれば、既存のウェブページにそのままフラッシュファイルとしての疑似音情報ファイルを埋め込むので、ウェブページを開いた際に自動的に音声および音楽を再生させることが可能になる。
【００１６】
上記課題を解決するために、請求項９に記載の発明は、請求項１乃至８の何れか一項に記載の音情報変換再生システムにおいて、前記サーバ装置に記憶されているウェブページ情報は前記疑似音情報ファイルを前記ウェブページ情報として前記送信手段によって前記携帯情報処理装置に送信されることを特徴とする。
これにより、一つのフラッシュの中に複数の疑似音情報ファイルとしての音声ファイルを埋め込むことが可能となり、エンターテイメント性の高いページ作りが可能となる。
【００１７】
上記課題を解決するために、請求項１０に記載の発明は、供給される音情報が入力される入力工程と、前記入力工程において入力された前記音情報を携帯情報処理装置に使用される少なくとも２種類以上の基本ソフトウェアに使用されるファイル形式へ変換する音情報変換工程と、前記音情報変換工程において変換された変換音情報の識別子を前記基本ソフトウェアに使用されるファイル形式の識別子へ変換した疑似キャリア対応音情報を生成する識別子変換工程と、前記携帯情報処理装置に使用される音情報再生ソフトウェアに使用されるデータ構造へ変換するための変数を、前記基本ソフトェアおよび前記携帯情報処理装置の種類毎に設定する設定工程と、前記設定工程における設定に基づいて、前記疑似キャリア対応音情報を前記携帯情報処理装置に使用される音情報再生ソフトウェア用のデータ構造を有する疑似音情報ファイルへ変換するＳＷＦ変換工程と、前記ＳＷＦ変換工程において変換された疑似音情報ファイルを送信するファイル送信工程と、を備える音情報変換装置の制御方法と、前記音情報変換装置からの前記疑似音情報ファイルおよび前記携帯情報処理装置からの前記携帯情報処理装置の種類に関する情報を受信する受信工程と、前記疑似音情報ファイルを記憶する記憶工程と、前記受信工程において受信した前記携帯情報処理装置の種類に関する情報から前記携帯情報処理装置の種類を判定し、判定された前記携帯情報処理装置の種類に対応する前記疑似音情報ファイルを判別する判別工程と、前記判別工程において判別された前記疑似音情報ファイルを前記携帯情報処理装置の種類に関する情報を送信した前記携帯情報処理装置へ送信する送信工程と、を備えるサーバ装置の制御方法と、を備えることを特徴とする。
【００１８】
上記課題を解決するために、請求項１１に記載の発明は、請求項１０に記載の音情報変換再生システムの制御方法において、前記供給される音情報は非圧縮音声フォーマットによって構成されており、前記フォーマットには少なくともＷＡＶファイルフォーマットが含まれることを特徴とする。
【００１９】
上記課題を解決するために、請求項１２に記載の発明は、請求項１０または１１に記載の音情報変換再生システムの制御方法において、前記基本ソフトウェアは前記携帯情報処理装置の通信事業者が提供するソフトウェアであって、前記基本ソフトウェアには少なくともＭＦＩファイルフォーマットまたはＳＭＡＦファイルフォーマットのいずれか一方のファイルフォーマットが含まれることを特徴とする。
【００２０】
上記課題を解決するために、請求項１３に記載の発明は、請求項１０乃至１２の何れか一項に記載の音情報変換再生システムの制御方法において、前記識別子変換工程において変換された前記疑似キャリア対応音情報の前記識別子には、少なくともＭＦＩ用の識別子であるｍｌｄまたはＳＭＡＦ用の識別子であるｍｍｆのいずれか一方の識別子が含まれることを特徴とする。
【００２１】
上記課題を解決するために、請求項１４に記載の発明は、請求項１０乃至１３の何れか一項に記載の音情報変換再生システムの制御方法において、前記音情報再生ソフトウェアはマクロメディアフラッシュの携帯電話向けのフラッシュライトであることを特徴とする。
【００２２】
上記課題を解決するために、請求項１５に記載の発明は、請求項１０乃至１４の何れか一項に記載の音情報変換再生システムの制御方法において、前記設定工程に含まれる前記変数には、少なくとも前記疑似キャリア対応音情報のデータ圧縮率情報が含まれることを特徴とする。
【００２３】
上記課題を解決するために、請求項１６に記載の発明は、請求項１０乃至１５の何れか一項に記載の音情報変換再生システムの制御方法において、前記携帯情報処理装置の種類に関する情報は、前記携帯情報処理装置が有するユーザーエージェント情報であることを特徴とする。
【００２４】
上記課題を解決するために、請求項１７に記載の発明は、請求項１０乃至１６の何れか一項に記載の音情報変換再生システムの制御方法において、前記サーバ装置に記憶されている前記疑似音情報ファイルは前記サーバ装置に記憶されているｈｔｍｌで記述されたウェブページ情報内に前記音情報再生ソフトウェアのコンテンツとして含まれていることを特徴とする音情報変換再生システムの制御方法。
【００２５】
上記課題を解決するために、請求項１８に記載の発明は、請求項１０乃至１７の何れか一項に記載の音情報変換再生システムの制御方法において、前記記憶工程において記憶されている前記疑似音情報ファイルはウェブページ情報として前記送信工程において前記携帯情報処理装置に送信されることを特徴とする。
【００２６】
上記課題を解決するために、請求項１９に記載の発明は、音情報変換装置に含まれるコンピュータを、供給される音情報が入力される入力手段、前記入力手段に入力された前記音情報を携帯情報処理装置に使用される少なくとも２種類以上の基本ソフトウェアに使用されるファイル形式へ変換する音情報変換手段、前記音情報変換手段において変換された変換音情報の識別子を前記基本ソフトウェアに使用されるファイル形式の識別子へ変換した疑似キャリア対応音情報を生成する識別子変換手段、前記携帯情報処理装置に使用される音情報再生ソフトウェアに使用されるデータ構造へ変換するための変数を、前記基本ソフトェアおよび前記携帯情報処理装置（において使用されるブラウザ）の種類毎に設定する設定手段、前記設定手段の設定に基づいて、前記疑似キャリア対応音情報を前記携帯情報処理装置に使用される音情報再生ソフトウェア用のデータ構造を有する疑似音情報ファイルへ変換するＳＷＦ変換部、前記ＳＷＦ変換部において変換された疑似音情報ファイルを送信するファイル送信手段として機能させる音情報変換装置の制御プログラムと、サーバ装置に含まれるコンピュータを、前記音情報変換装置からの前記疑似音情報ファイルおよび前記携帯情報処理装置からの前記携帯情報処理装置の種類に関する情報を受信する受信手段、前記疑似音情報ファイルを記憶する記憶手段、前記受信手段が受信した前記携帯情報処理装置の種類に関する情報から前記携帯情報処理装置の種類を判定し、判定された前記携帯情報処理装置の種類に対応する前記疑似音情報ファイルを判別する判別手段、前記判別手段によって判別された前記疑似音情報ファイルを前記携帯情報処理装置の種類に関する情報を送信した前記携帯情報処理装置へ送信する送信手段として機能させる音情報変換装置の制御プログラムと、を備えることを特徴とする。
【発明の効果】
【００２７】
本発明によれば、携帯情報処理装置の一例としての携帯電話専用のアプリケーションソフトウェアやプレーヤ（ソフトウェア）を起動させずに、ユーザの携帯電話の携帯サイトでの音情報の一例としての音声の再生を可能にする。
また、ユーザはキャリアおよび携帯電話の機種の違いを意識することなく、携帯電話のサイトを移動せずに、携帯電話のサイトを開くだけで音情報の一例としての音楽や音声を再生させることができる。
したがって、携帯電話のサイトに訪れたユーザにとってストレスのないスムーズな音情報の一例としての音声の再生を提供できるようになる。
【００２８】
また、携帯電話用の専用のアプリケーションソフトウェアを必要としないので、携帯電話を使用するユーザのパケット通信料が軽減される。
また、ＰＣのようにユーザが携帯電話でウェブサイトを閲覧しながら、ウェブサイトのバックに音楽を流す再生が可能となる。
また、同一のキャリアにおける携帯電話の種類によって再生可能な疑似音情報ファイルが異なっている場合にも、携帯電話の種類に関する情報から再生可能な疑似音情報ファイルが判別可能なので、ユーザは自分の携帯電話の種類を意識することなく、シームレスに音情報の一例としての音声および音楽の再生が可能になる。
【００２９】
さらに、ユーザが携帯電話のサイトを開いたときに、サイトのイメージソングを流し、または、語学学習時における読み上げによる発音の聞き取りなどが可能になる。
これにより、電子音的な音楽ファイル形式ではなく、音声などのような波形の生音をユーザの携帯電話で再生することができるようになる。
これにより、通信事業者としてのＮＴＴドコモ、ａｕ、ソフトバンクの３つのキャリアのすべての携帯電話において音情報の一例としての音声や音声が再生可能となる。
これにより、あらかじめ音声ファイルであるＷＡＶファイルを各キャリア対応ファイル形式へ擬似的に変換させることができるようになる。
したがって、通信事業者としてのＮＴＴドコモ、ａｕ、ソフトバンクの３つのキャリアのすべての携帯電話において確実に音情報の一例としての音声および音楽の再生が可能となる。
【００３０】
携帯電話のウェブページでは各キャリアのブラウザの仕様により、疑似音情報ファイルの一例としての音声ファイルを直接再生させることは不可能であるが、各キャリアが対応するマクロメディアフラッシュの携帯電話向けのフラッシュライトを利用することで音声ファイルを直接再生させることが可能になる。
これにより、キャリア毎のエンコード作業が容易になる。
また、一例として一般に入手可能な（市販の）マルチメディアコンテンツコンバートツールであるソフトウェアエンコーダも利用することが可能になる。
これにより、携帯電話のキャリア、携帯電話の機種によって再生可能なフラッシュライトのファイルが異なるため、そのままではユーザが自分の携帯電話の機種から適したファイルを選択しなければならないが、携帯電話に備わっているユーザーエージェントという識別コードを携帯電話のサイトにアクセスに来た際に取得することで、このユーザーエージェントを利用してユーザがアクセスしてきた際にどのグループに属するかを判定し、それによって対応した疑似音情報ファイルの一例としてのフラッシュファイルを携帯電話に送信して再生させることが可能になる。
これによれば、既存のウェブページにそのままフラッシュファイルとしての疑似音情報ファイルを埋め込むので、ウェブページを開いた際に自動的に音声および音楽を再生させることが可能になる。
これにより、一つのフラッシュの中に複数の疑似音情報ファイルとしての音声ファイルを埋め込むことが可能となり、エンターテイメント性の高いページ作りが可能となる。
【発明を実施するための最良の形態】
【００３１】
以下、本発明を実施するための最良の形態について、図面を参照しつつ説明する。
［システム全体構成］
図１には、本実施形態に係るサーバ装置１０と、携帯情報処理装置の一例としてのユーザ端末２０、本実施形態に係る音情報変換装置３０とから構成される音情報変換再生システム１を示す。なお、図１においては、音情報変換再生システム１は、サーバ装置１０と、ユーザ端末２０とがそれぞれ一つずつで示されているが、これに限られず、それぞれ複数台で構成されていても良い。
サーバ装置１０は、図２に示すように、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されても良い）、バスライン２００、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。なお、ハードディスク３７０、光ディスクドライブ３８０、並びに、半導体メモリ３９０はまとめて記憶装置４１０と呼ばれる。
制御部３００は、サーバ装置１０を統括的に制御する部分であり、ハードディスク３７０に記憶された各種プログラムを適宜読み出して実行することにより、上述したハードウェアと協働し、本発明に係る各種機能を実現している。
通信Ｉ／Ｆ３３０は、サーバ装置１０が、ネットワークを介してユーザ端末３０等の他の装置と情報を送受信する場合のネットワーク・アダプタである。
ＢＩＯＳ３５０は、サーバ装置１０の起動時にＣＰＵ３１０が実行するブートプログラムや、サーバ装置１０のハードウェアに依存するプログラム等を記録する。
【００３２】
Ｉ／Ｏコントローラ３６０には、ハードディスク３７０、光ディスクドライブ３８０、及び半導体メモリ３９０等の記憶装置４１０を接続することができる。
ハードディスク３７０は、本ハードウェアをサーバ装置１０として機能させるための各種プログラム、本発明の機能を実行するプログラム及び後述するテーブル等を記憶する。なお、サーバ装置１０は、外部に別途設けたハードディスク（図示せず）を外部記憶装置として利用することもできる。
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
なお、本発明でいうコンピュータとは、記憶装置、制御部等を備えた情報処理装置をいい、サーバ装置１０は、記憶装置４１０、制御部３００等を備えた情報処理装置により構成され、この情報処理装置は、本発明のコンピュータの概念に含まれる。
【００３３】
音情報変換装置３０もサーバ装置１０と同様に、図示しないが、制御部３００’を構成するＣＰＵ３１０’（マルチプロセッサ構成ではＣＰＵ３２０等複数のＣＰＵが追加されても良い）、バスライン２００’、通信Ｉ／Ｆ（Ｉ／Ｆ：インターフェース）３３０’、メインメモリ３４０’、ＢＩＯＳ３５０’、Ｉ／Ｏコントローラ３６０’、ハードディスク３７０’、光ディスクドライブ３８０’、並びに半導体メモリ３９０’を備える。なお、ハードディスク３７０’、光ディスクドライブ３８０’、並びに、半導体メモリ３９０’はまとめて記憶装置４１０’と呼ばれる。
また、本発明に係るサーバ装置１０および音情報変換装置３０を含む音情報変換再生システムは、上述のような構成を有することにより、音情報変換装置３０は、クライアントから供給される音情報を入力し、入力された音情報を携帯電話に使用される通信事業者としてのＮＴＴドコモ、ａｕ、ソフトバンクの３つのキャリアの携帯用ファイルに変換し、識別子を変換し、携帯電話に使用されるフラッシュライト（ソフトウェア）に使用されるフラッシュファイルへ変換するために、ファイルエンコードのための変数を設定し、ＮＴＴドコモ、ａｕ、ソフトバンクの３つのキャリアそれぞれの携帯電話の種類毎にフラッシュファイルである疑似音情報ファイルへ変換し、疑似音情報ファイルをサーバ装置１０にアップロードし、サーバ装置１０は疑似音情報ファイルを受信し、記憶手段に記憶し、また携帯電話からの携帯電話の種類に関する情報を有するユーザーエージェントを受信し、ユーザーエージェントからユーザーエージェントに対応する疑似音情報ファイルを判別し、判別された疑似音情報ファイルを携帯電話へ送信する機能を有している。
【００３４】
［各構成要素の説明］
ここで、当該機能を発揮するための構成について、図３に示す機能ブロック図を用いて説明する。
音情報変換装置３０は、入力手段としての入力部１１、音情報変換手段としての音情報変換部１２、識別子変換手段としての識別子変換部１３、設定手段としての設定部１４、ＳＷＦ変換手段としてのＳＷＦ変換部１５、ファイル送信手段としてのファイル送信部１６とを備える。
また、サーバ装置１０は、受信手段としての受信部１７、記憶手段としての記憶部１８、判別手段としての判別部１９、送信手段としての送信部２１とを備える。
【００３５】
入力部１１は、クライアントから供給される音情報が入力される機能を有する。供給される音情報は非圧縮音声フォーマットによって構成されており、フォーマットには少なくともＷＡＶファイルフォーマットが含まれる。
したがって、取り扱えるファイル形式は圧縮されるなどした電子音的な音楽ファイル形式ばかりではなく（圧縮されるなどした電子音的な音楽ファイル形式で入力されてもよい）、音声などのような波形の生音を再生させることが出来る。
音情報変換部１２は、入力手段１１に入力された音情報を携帯情報処理装置に使用される少なくとも２種類以上の基本ソフトウェアに使用されるファイル形式へ変換する機能を有する。
これらの基本ソフトウェアはＮＴＴドコモ、ａｕ、ソフトバンクの３つのキャリアそれぞれが携帯電話用に提供しているソフトであって、携帯電話のアプリケーションプログラムはこれらのキャリアのソフトを使用している。
すなわち、基本ソフトウェアは携帯情報処理装置の通信事業者が提供するソフトウェアであって、前記基本ソフトウェアには少なくともＭＦＩファイルフォーマットまたはＳＭＡＦファイルフォーマットのいずれか一方のファイルフォーマットが含まれる。
【００３６】
識別子変換部１３は、音情報変換部において変換された変換音情報の識別子を基本ソフトウェアに使用されるファイル形式の識別子へ変換した疑似キャリア対応音情報を生成する機能を有する。
また、識別子変換部１３によって変換された疑似キャリア対応音情報の識別子には、少なくともＭＦＩ用の識別子であるｍｌｄまたはＳＭＡＦ用の識別子であるｍｍｆのいずれか一方の識別子が含まれる。
設定部１４は、携帯情報処理装置に使用される音情報再生ソフトウェアに使用されるデータ構造へ変換するための変数を、基本ソフトェアおよび携帯情報処理装置の種類毎に設定する機能を有する。
また音情報再生ソフトウェアはマクロメディアフラッシュの携帯電話向けのフラッシュライトである。
また、設定部１４に含まれる変数には、少なくとも疑似キャリア対応音情報のデータ圧縮率情報が含まれる。
【００３７】
ＳＷＦ変換部１５は、設定部１４の設定に基づいて、疑似キャリア対応音情報を携帯情報処理装置に使用される音情報再生ソフトウェア用のデータ構造を有する疑似音情報ファイルへ変換する機能を有する。
したがって、携帯電話のウェブページでは各キャリアのブラウザの仕様により、疑似音情報ファイルの一例としての音声ファイルを直接再生させることは不可能であるが、各キャリアが対応するマクロメディアフラッシュの携帯電話向けのフラッシュライトを利用することでフラッシュファイルの一例としての音声ファイルをブラウザのウェブページにおいて直接再生させることが可能になる。
送信部１６は、ＳＷＦ変換部１５において変換された疑似音情報ファイルを送信する機能を有する。
送信部１６によって送信された疑似音情報ファイルは、サーバ装置１０にアップロードされ、携帯電話を使用するユーザがウェブページから疑似音情報ファイルをアクセスすることが可能になる。
受信部１７は、音情報変換装置からの疑似音情報ファイルおよび携帯情報処理装置からの携帯情報処理装置の種類に関する情報を受信する機能を有する。
記憶部１８は、疑似音情報ファイルを記憶する機能を有する。
記憶部１８に記憶された疑似音情報ファイルは、送信部２１からの呼び出しによって携帯情報処理装置の種類に関する情報に対応した疑似音情報ファイルが送信部１６に出力される。
【００３８】
記憶部１８に記憶されている疑似音情報ファイルはサーバ装置１０に記憶されているｈｔｍｌで記述されたウェブページ情報内に音情報再生ソフトウェア（フラッシュライト）のコンテンツとして含まれている。
判別部１９は、受信手段が受信した携帯情報処理装置の種類に関する情報から携帯情報処理装置の種類を判定し、判定された携帯情報処理装置の種類に対応する疑似音情報ファイルを判別する機能を有する。
携帯情報処理装置の種類に関する情報は、前記携帯情報処理装置が有するユーザーエージェント情報であり、ユーザーエージェント情報には、ＮＴＴドコモ、ａｕ、ソフトバンクの３つのキャリアの識別情報および携帯電話の種類（機種）に関わる情報が含まれている。
送信部２１は、判別部１９によって判別された疑似音情報ファイルを携帯情報処理装置の種類に関する情報を送信した携帯情報処理装置へ送信する機能を有する。
したがって、携帯電話を使用するユーザにとっては、一つのアドレスへアクセスすることで、キャリアの種類および携帯電話の種類（機種）を意識することなく疑似音情報ファイルの一例としての音声および音楽を再生することが可能になる。
【００３９】
サーバ装置（の記憶部１８）に記憶されている疑似音情報ファイルはウェブページ情報として送信部２１によって携帯情報処理装置に送信される。
このような構成による本発明によれば、音情報変換装置３０は、クライアントから供給される音情報を入力し、入力された音情報を携帯電話に使用される通信事業者としてのＮＴＴドコモ、ａｕ、ソフトバンクの３つのキャリアの携帯用ファイルに変換し、識別子を変換し、携帯電話に使用されるフラッシュライト（ソフトウェア）に使用されるフラッシュファイルへ変換するために、ファイルエンコードのための変数を設定し、ＮＴＴドコモ、ａｕ、ソフトバンクの３つのキャリアそれぞれの携帯電話の種類毎にフラッシュファイルである疑似音情報ファイルへ変換し、疑似音情報ファイルをサーバ装置１０にアップロードし、サーバ装置１０は疑似音情報ファイルを受信し、記憶手段に記憶し、また携帯電話からの携帯電話の種類に関する情報を有するユーザーエージェントを受信し、ユーザーエージェントからユーザーエージェントに対応する疑似音情報ファイルを判別し、判別された疑似音情報ファイルを携帯電話へ送信する機能を有している。
したがって、携帯情報処理装置の一例としての携帯電話専用のアプリケーションソフトウェアやプレーヤ（ソフトウェア）を起動させずに、ユーザの携帯電話の携帯サイトでの音情報の一例としての音声の再生を可能にする。
また、ユーザはキャリアおよび携帯電話の機種の違いを意識することなく、携帯電話のサイトを移動せずに、携帯電話のサイトを開くだけで音情報の一例としての音楽や音声を再生させることができ、携帯電話のサイトに訪れたユーザにとってストレスのないスムーズな音情報の一例としての音声の再生を提供できるようになる。
【００４０】
［処理手順］
ここで、本発明を適用した場合において実現され得る具体的な処理手順について、図４に示すフローチャートを参照して説明する。なお、以下に示す処理手順は、一例であってこれ以外にも実現され得る処理手順は無数に存在する。
ステップＳ１において、入力部１１には、クライアントから供給される音情報が入力される。そして音情報変換部１２は、入力手段１１に入力された音情報を携帯情報処理装置の一例としての携帯電話に使用される少なくとも２種類以上の基本ソフトウェア（ＮＴＴドコモ、ａｕ、ソフトバンクの３つのキャリアそれぞれが携帯電話用に提供しているソフト）に使用されるファイル形式へ変換する。
【００４１】
ステップＳ２において、ステップ１において変換された変換された変換音情報から、識別子変換部１３が、音情報変換部において変換された変換音情報の識別子を基本ソフトウェアに使用されるファイル形式の識別子へ変換した疑似キャリア対応音情報を生成する。
ステップＳ３において、設定部１４は、携帯情報処理装置に使用される音情報再生ソフトウェアに使用されるデータ構造へ変換するための変数を、基本ソフトウェアおよび携帯情報処理装置の種類毎に設定する。
ステップＳ４において、ＳＷＦ変換部１５は、ステップＳ３における設定部１４の設定に基づいて、疑似キャリア対応音情報を携帯情報処理装置に使用される音情報再生ソフトウェア用のデータ構造を有する疑似音情報ファイルへ変換する。
ステップＳ５において、送信部１６は、ステップＳ４においてＳＷＦ変換部１５において変換された疑似音情報ファイルをサーバ装置１０にアップロードし、携帯電話を使用するユーザがウェブページから疑似音情報ファイルをアクセスすることを可能にする。
【００４２】
ステップＳ６において、サーバ装置１０の受信部１７は、音情報変換装置３０からの疑似音情報ファイルおよびユーザ端末装置２０の一例としての携帯電話からの携帯電話の種類に関する情報を受信し、記憶部１８に、疑似音情報ファイルを記憶する。
そしてサーバ装置１０の判別部１９は、受信部１７が受信した携帯電話の種類に関する情報から携帯電話の種類（およびキャリア）を判定し、判定された携帯電話の種類（およびキャリア）に対応する疑似音情報ファイルを判別する。
ステップＳ７において、記憶部１８に記憶された疑似音情報ファイルの中で、送信部２１からの呼び出しによって携帯電話の種類に関する情報（ユーザーエージェント情報）に対応した疑似音情報ファイルが送信部１６に出力される。
そして、送信部２１は、判別部１９によって判別された疑似音情報ファイルを携帯電話の種類に関する情報を送信した携帯電話へ送信する。
したがって、携帯電話を使用するユーザにとっては、一つのアドレスへアクセスすることで、キャリアの種類および携帯電話の種類（機種）を意識することなく疑似音情報ファイルの一例としての音声および音楽を再生することが可能になる。
【００４３】
このような構成による本発明によれば、音情報変換装置３０は、クライアントから供給される音情報を入力し、入力された音情報を携帯電話に使用される通信事業者としてのＮＴＴドコモ、ａｕ、ソフトバンクの３つのキャリアの携帯用ファイルに変換し、識別子を変換し、携帯電話に使用されるフラッシュライト（ソフトウェア）に使用されるフラッシュファイルへ変換するために、ファイルエンコードのための変数を設定し、ＮＴＴドコモ、ａｕ、ソフトバンクの３つのキャリアそれぞれの携帯電話の種類毎にフラッシュファイルである疑似音情報ファイルへ変換し、疑似音情報ファイルをサーバ装置１０にアップロードし、サーバ装置１０は疑似音情報ファイルを受信し、記憶手段に記憶し、また携帯電話からの携帯電話の種類に関する情報を有するユーザーエージェントを受信し、ユーザーエージェントからユーザーエージェントに対応する疑似音情報ファイルを判別し、判別された疑似音情報ファイルを携帯電話へ送信する。
【００４４】
［制作フローチャートの概要］
次に、クライアントから供給された音情報を疑似音情報ファイルとして供給するまでの概要について図５を用いて説明する。
まず図５（ａ）において、クライアントと仕様等について打ち合わせを実施する。
次に、図５（ｂ）において、図５（ａ）における打ち合わせに基づいて、クライアントから音情報が供給される。
次に、図５（ｃ）において、図５（ｂ）で供給された音情報である音情報ファイルを通信事業者であるキャリア毎にエンコード作業を行う。
次に、図５（ｄ）において、エンコードされたファイルに基づいて、キャリア毎の携帯電話の仕様が異なる機種毎にＳＷＦデータ（ファイル）を作成する。
次に、図５（ｅ）において、携帯電話のユーザーエージェント情報から各キャリアの携帯電話に対応するＳＷＦデータを抽出する機種判別システムプログラムを作成する。
【００４５】
次に、図５（ｆ）において、ＳＷＦデータと機種判別システムプログラムをサーバにアップロードする。
次に、図５（ｇ）において、ＳＷＦデータにアクセスするためのリンクアドレスを発行する。
次に、図５（ｈ）において、ＳＷＦデータとリンクアドレスとのリンクの設定をすることでクライアントから供給された音情報をユーザの携帯電話から視聴することが可能になる（図５（ｉ））。
なお、図４における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
また各情報処理機器間の情報の送受信は有線、無線に限定されず、いずれの方法においても情報の送受信を行うことができる。
【産業上の利用可能性】
【００４６】
本発明は、音情報変換再生システム及び音情報変換再生システムの制御方法であり、インターネット技術を用いたシステムへの利用の可能性がある。
【図面の簡単な説明】
【００４７】
【図１】本発明の実施の形態に係る音情報変換再生システムのブロック図である。
【図２】本発明に係る音情報変換装置およびサーバ装置の構成を示すブロック図である。
【図３】本実施形態に係る音情報変換装置およびサーバ装置の機能的な構成を示す機能ブロック図である。
【図４】本発明の実施の形態に係る音情報変換再生システムの一動作例を示すフローチャートである。
【図５】本発明の実施の形態に係る制作フローチャートの概要を示す図である。
【符号の説明】
【００４８】
１  音情報変換再生システム
１０  サーバ装置
１１  入力部
１２  音情報変換部
１３  識別子変換部
１４  設定部
１５  ＳＷＦ変換部
１６  ファイル送信部
１７  受信部
１８  記憶部
１９  判別部
２０  携帯情報処理装置
２１  送信部
３０  音情報変換装置
【図１】
2010146157.tif 000003
【図２】
2010146157.tif 000004
【図３】
2010146157.tif 000005
【図４】
2010146157.tif 000006
【図５】
2010146157.tif 000007